(57)【要約】【課題】  極めて故障しにくい単純な構成であって、収納溝の深さを抑えることができる浸水防止構造を提供する。【解決手段】  浸水防止構造１は、地中に埋設され上端が地面に向かって開口する収納溝２と、地面ＧＬから所定高さ以下の水が前記収納溝２に流入することを阻止する流入防止スロープ３と、当該流入防止スロープ３の少なくとも地面ＧＬよりも高い位置に形成され、前記収納溝２内に水を流入させる受入孔８と、前記収納溝２内に収納される浮力体４ｃを有し、その下端が前記収納溝の上方に回動可能に固定されており、前記収納溝２内に水が注入されて前記浮力体４ｃに浮力が加わると回動して起立し外部から所定領域内への水の流入を阻止する防水板４と、該防水板４の所定角度以上の回動を規制する規制体５と、を備える。【選択図】図１
2013119746.tif 000002
【特許請求の範囲】
【請求項１】
上端が地面に向かって開口する収納溝と、
地面から所定高さ以下の水が前記収納溝に流入することを阻止する流入防止部と、
当該流入防止部の少なくとも地面よりも高い位置に形成され、前記収納溝内に水を流入させる受入孔と、
前記収納溝内に収納される浮力体を有し、起立したときに下端となる側が前記収納溝の上方に回動可能に固定されており、前記収納溝内に水が注入されて前記浮力体に浮力が加わると回動して起立し外部から所定領域内への水の流入を阻止する防水板と、
該防水板の所定角度以上の回動を規制する規制体と、
を備えることを特徴とする浸水防止構造。
【請求項２】
上端が地面に向かって開口する収納溝と、
地面から所定高さ以下の水が前記収納溝に流入することを阻止する流入防止部と、
当該流入防止部の少なくとも地面よりも高い位置に形成され、前記収納溝内に水を流入させる受入孔と、
前記収納溝内に収納される浮力体を有し、前記収納溝内に水が注入されて前記浮力体に浮力が加わると上方にスライドして起立し外部から所定領域内への水の流入を阻止する防水板と、
を備え、
該防水板は、上下方向の中間部に折り曲げ可能な屈曲部を備えており、前記収納溝に折り重ねられた状態で収納されることを特徴とする浸水防止構造。
【請求項３】
前記防水板は、上下方向の中間部に折り曲げ可能な屈曲部を備えており、前記収納溝に折り重ねられた状態で収納されることを特徴とする請求項１に記載の浸水防止構造。
【請求項４】
前記屈曲部は、折り曲げた前記防水板を展開方向へ付勢する付勢手段を備えることを特徴とする請求項２又は請求項３に記載の浸水防止構造。
【請求項５】
前記防水板は起立した状態のときに、当該防水板が前記所定領域側に傾いて形成されることを特徴とする請求項１から請求項４のいずれかに記載の浸水防止構造。
【請求項６】
前記防水板は、起立した状態のときに、当該防水板が略鉛直な状態から前記所定領域側に所定角度傾いた状態まで揺動可能に形成されており、
当該防水板が略鉛直となる方向に付勢する付勢部材をさらに備えることを特徴とする請求項１から請求項４のいずれかに記載の浸水防止構造。
【請求項７】
前記防水板の前記所定領域側に堤防が形成されることを特徴とする請求項５又は請求項６に記載の浸水防止構造。
【請求項８】
前記防水板を複数備える浸水防止構造であって、
当該防水板はその側端部に互いに噛み合う凹凸又は段差が形成されることを特徴とする請求項１から請求項７のいずれかに記載の浸水防止構造。
【請求項９】
少なくとも前記収納溝の底面よりも高い位置に底面が形成され、水を貯留する貯留槽と、
一端が該貯留槽の底面に設けられた流出口に連通するとともに、他端が前記収納溝に設けられた注入口に連通する流入路と、
当該流入路上に開閉可能に設けられる規制弁と、
を備えることを特徴とする請求項１から請求項８のいずれかに記載の浸水防止構造。
【発明の詳細な説明】
【技術分野】
【０００１】
本発明は、外部から所定領域内に水が浸水することを防止する浸水防止構造に関し、特に浸水の危険がある場合に自動的に防水板が起立する浸水防止構造に関する。
【背景技術】
【０００２】
従来よりゲリラ豪雨や洪水のときに敷地内や建築構造物内などの所定領域内に水が浸水することを防ぐために、例えば出入り口などの水が浸水できる経路上に、防水板を設置して水の浸水を防ぐ技術が種々提案されている（例えば特許文献１、特許文献２）。このような防水板は、浸水のおそれがない日常には通行の妨げにならず、非常時にはすぐに設置する必要がある。そこで、地面に収納溝を設け、この溝内に防水板を収納しておくことで日常の通行の妨げにならないようにしておき、非常時には手動又は電動で簡単に起立させることができる構成が採用されている。
【０００３】
しかし、手動で防水板を起立させる場合、人が管理し人が判断して防水板を起立させることになるので、時間帯などによっては迅速な対応が困難であり、人為的なミスが発生する可能性もある。また、電動のセンサ等によって判断し、電動で防水板を起立させる場合には、電気系統の故障により正常に作動しないおそれがある。
【０００４】
そこで、防水板を水に浮くように構成しておき、高さ方向に掘られた収納溝内に外部の水を流入させて貯水し防水板を浮力によって上方にスライドさせて起立させる構造が提案されている（例えば特許文献３）。この構成によると、通常の外部から水が導入されることがないときには防水板は収納溝内に止まり、ゲリラ豪雨や洪水などのように外部に水がある場合にのみ防水板が起立するので、必要な時に自動的に防水板を起立させることができる。しかも、単に水を流入させるだけの単純な構成であるので、電気的な制御を必要とせず、極めて故障しにくいものにすることができる。
【先行技術文献】
【特許文献】
【０００５】
【特許文献１】実開２００７−１１３２７９号公報
【特許文献２】特開２００６−２２６０１６号公報
【特許文献３】特開２００４−３６０４３０号公報
【発明の概要】
【発明が解決しようとする課題】
【０００６】
ところで、特許文献３のように、防水板を浮力によって上方にスライドさせて起立させる浸水防止構造は、防水板を収納する収納溝を少なくとも防水板の高さ以上に掘り下げる必要があるので、場所によっては設置が困難となる場合もあり、また、より高い防水板が必要な場合には、より深く掘り下げる必要があることから設置コストが増加する問題がある。
【０００７】
そこで、本発明は、極めて故障しにくい単純な構成であって、収納溝の深さを抑えることができる浸水防止構造を提供することを目的とする。
【課題を解決するための手段】
【０００８】
請求項１に記載の浸水防止構造は、上端が地面に向かって開口する収納溝と、地面から所定高さ以下の水が前記収納溝に流入することを阻止する流入防止部と、当該流入防止部の少なくとも地面よりも高い位置に形成され、前記収納溝内に水を流入させる受入孔と、前記収納溝内に収納される浮力体を有し、起立したときに下端となる側が前記収納溝の上方に回動可能に固定されており、前記収納溝内に水が注入されて前記浮力体に浮力が加わると回動して起立し外部から所定領域内への水の流入を阻止する防水板と、該防水板の所定角度以上の回動を規制する規制体と、を備えることを特徴としている。
【０００９】
請求項２に記載の浸水防止構造は、上端が地面に向かって開口する収納溝と、地面から所定高さ以下の水が前記収納溝に流入することを阻止する流入防止部と、当該流入防止部の少なくとも地面よりも高い位置に形成され、前記収納溝内に水を流入させる受入孔と、前記収納溝内に収納される浮力体を有し、前記収納溝内に水が注入されて前記浮力体に浮力が加わると上方にスライドして起立し外部から所定領域内への水の流入を阻止する防水板と、を備え、該防水板は、上下方向の中間部に折り曲げ可能な屈曲部を備えており、前記収納溝に折り重ねられた状態で収納されることを特徴としている。
【００１０】
請求項３に記載の浸水防止構造は、請求項１の構成に加えて、前記防水板は、上下方向の中間部に折り曲げ可能な屈曲部を備えており、前記収納溝に折り重ねられた状態で収納されることを特徴としている。
【００１１】
請求項４に記載の浸水防止構造は、請求項２又は請求項３の構成に加えて、前記屈曲部は、折り曲げた前記防水板を展開方向へ付勢する付勢手段を備えることを特徴としている。
【００１２】
請求項５に記載の浸水防止構造は、請求項１から請求項４のいずれかの構成に加えて、前記防水板は起立した状態のときに、当該防水板が所定領域側に傾いて形成されることを特徴としている。
【００１３】
請求項６に記載の浸水防止構造は、請求項１から請求項４のいずれかの構成に加えて、前記防水板は、起立した状態のときに、当該防水板が略鉛直な状態から所定領域側に所定角度傾いた状態まで揺動可能に形成されており、当該防水板が略鉛直となる方向に付勢する付勢部材をさらに備えることを特徴としている。
【００１４】
請求項７に記載の浸水防止構造は、請求項５又は請求項６の構成に加えて、前記防水板の所定領域側に堤防が形成されることを特徴としている。
【００１５】
請求項８に記載の浸水防止構造は、請求項１から請求項７のいずれかの構成に加えて、前記防水板を複数備える浸水防止構造であって、当該防水板はその側端部に互いに噛み合う凹凸又は段差が形成されることを特徴としている。
【００１６】
請求項９に記載の浸水防止構造は、請求項１から請求項８のいずれかの構成に加えて、少なくとも前記収納溝の底面よりも高い位置に底面が形成され、水を貯留する貯留槽と、一端が該貯留槽の底面に設けられた流出口に連通するとともに、他端が前記収納溝に設けられた注入口に連通する流入路と、当該流入路の水の通過を規制する規制弁と、を備えることを特徴としている。
【発明の効果】
【００１７】
請求項１に記載の浸水防止構造は、流入防止部により地面から所定高さ以下の水が収納溝に流入することを阻止するので、防水板を起立させる必要がない比較的弱い雨のときには、収納溝に水が流入することがなく、防水板が不必要に起立することを抑制できる。また、防水板は、収納溝内に収納される浮力体を有し、その下端が収納溝の上端に回動可能に固定されており、収納溝内に水が注入されて浮力体に浮力が加わると回動して起立し、外部から所定領域内への水の流入を阻止するものであるので、人による操作や電気的な制御を必要とせず、簡単で故障しにくい構成にすることができる。また、防水板は、地面に向かって伏せた状態で収納溝に収納されることとなるので、収納溝の深さが比較的深くならないので、設置コストを低減することができ、地中に構造物があるような場合も干渉することなく設置することができる。
【００１８】
請求項２に記載の浸水防止構造は、請求項１と同様に、流入防止部により地面から所定高さ以下の水が収納溝に流入することを阻止するので、防水板を起立させる必要がない比較的弱い雨のときには、収納溝に水が流入することがなく、防水板が不必要に起立することを抑制できる。また、防水板は、収納溝内に収納される浮力体を有し、この収納溝内に水が注入されて浮力体に浮力が加わると上方にスライドして起立し外部から所定領域内への水の流入を阻止するので、人による操作や電気的な制御を必要とせず、簡単で故障しにくい構成にすることができる。また、防水板は、上下方向の中間部に折り曲げ可能な屈曲部を備えており、収納溝に折り重ねられた状態で収納されるので、収納溝に収納する際の防水板の高さを低くすることができ、収納溝の深さが比較的深くならず、設置コストを低減することができ、地中に構造物があるような場合も干渉することなく設置することができる。
【００１９】
請求項３に記載の浸水防止構造は、防水板を回動させて起立させる浸水防止構造であって、防水板が上下方向の中間部に折り曲げ可能な屈曲部を備えており、収納溝に折り重ねられた状態で収納されるので、浸水防止構造の近傍に他の構造物があるなどの理由で、収納溝を設置するスペースが少ない場合にも設置することができる。
【００２０】
請求項４に記載の浸水防止構造は、防水板を展開方向へ付勢する付勢手段を備えているので、防水板が起立したときに屈曲部が展開して、自動的に防水板の高さをかさ上げすることができる。
【００２１】
請求項５に記載の浸水防止構造は、防水板が起立したときに、所定領域側に傾くので、外部から所定領域に向かって勢いのある水流が流れ込もうとしたときに、防水板に水流が衝突して加わる荷重を防水板の傾きにより上方に逃がすことができる。
【００２２】
請求項６に記載の浸水防止構造は、防水板が起立したときに、この防水板が略鉛直な状態から所定領域側に所定角度傾いた状態まで揺動可能に形成されており、この防水板が略鉛直となる方向に付勢する付勢部材をさらに備えるので、外部から所定領域に向かって勢いのある水流が流れ込もうとしたときには、防水板にかかる水流の圧力が付勢部材の付勢力に抗して防水板を所定領域側に傾けるので、水流の勢いを弱めることができ、さらに防水板が所定領域側に傾くことにより、この水流の圧力を上方に逃がすことができる。一方、付勢部材の付勢力よりも弱い水流や水圧の場合は、防水板は略鉛直な状態のままであり、防水板の高さが高い状態を維持することができる。
【００２３】
請求項７に記載の浸水防止構造は、防水板の所定領域側に堤防が形成されるので、例えば海岸や河岸などの堤防の海又は川側に起立したときの高さが堤防よりも高い浸水防止構造を設置することで、日常は景観を壊すことがなく、水量が増した緊急時にのみ防潮板の役割を果たすことができ、また、堤防の支えにより、極めて強固な浸水防止構造とすることができる。
【００２４】
請求項８に記載の浸水防止構造は、防水板の側端部に互いに噛み合う凹凸又は段差が形成されるので、複数の防水板を方向に並べたときに防水板同士の間に間隙が生じることがなく、水の侵入を確実に防ぐことができる。
【００２５】
請求項９に記載の浸水防止構造は、収納溝の底面よりも高い位置に底面が形成され水を貯留する貯留槽が設けられており、この貯留槽から収納溝までを連通する流入路が設けられている。そして流入路には開閉可能な規制弁が備わっているので、予め貯留槽に水を貯留しておいて、水が侵入するおそれがある緊急時にこの規制弁を開放することで、例えば津波のように外部に水が少ないが、数分以内に防水板を起立させる必要がある場合にも、収納溝内に一気に水を流入させることができ、防水板を迅速に起立させることができる。
【図面の簡単な説明】
【００２６】
【図１】第１の実施形態の浸水防止構造であって、（Ａ）は防水板を倒伏した状態（Ｂ）は防水板を起立した状態を示す断面図。
【図２】図１（Ａ）の２点鎖線部分拡大図。
【図３】第１の実施形態の浸水防止構造であって、（Ａ）は防水板を倒伏した状態（Ｂ）は防水板が回転途上の状態（Ｃ）は防水板を起立した状態を示す斜視断面図。
【図４】第２の実施形態の浸水防止構造であって、（Ａ）は防水板を倒伏した状態（Ｂ）は防水板が回転途上の状態（Ｃ）は防水板を起立した状態を示す断面図。
【図５】第２の実施形態の浸水防止構造であって、（Ａ）は防水板を倒伏した状態（Ｂ）は防水板が回転途上の状態（Ｃ）は防水板を起立した状態を示す斜視断面図。
【図６】第３の実施形態の浸水防止構造であって、（Ａ）は防水板を倒伏した状態（Ｂ）は防水板が回転途上の状態（Ｃ）は防水板を起立した状態を示す断面図。
【図７】第４の実施形態の浸水防止構造であって、（Ａ）は防水板を倒伏した状態（Ｂ）は防水板が回転途上の状態（Ｃ）は防水板を起立した状態を示す断面図。
【図８】第５の実施形態の浸水防止構造であって、（Ａ）は防水板を収納溝に収納した状態（Ｂ）は防水板が上方へのスライド途上の状態（Ｃ）は防水板を起立した状態を示す断面図。
【図９】第５の実施形態の防水板の一例を示す斜視図。
【図１０】第５の実施形態の防水板の側端部に形成された段差によって、防水板を互いに噛み合うように面一に並べた状態を示す斜視図。
【図１１】第５の実施形態の防水板の他の例として、側端部が凹凸である防水板を示す斜視図。
【図１２】第６の実施形態の浸水防止構造であって、（Ａ）は防水板を収納溝に収納した状態（Ｂ）は防水板が斜め上方へのスライド途上の状態（Ｃ）は防水板を起立した状態を示す断面図。
【図１３】第６の実施形態の浸水防止構造の変形例であって、（Ａ）は防水板を収納溝に収納した状態（Ｂ）は防水板が上方へのスライド途上の状態（Ｃ）は防水板を起立して所定領域側に傾いた状態を示す断面図。
【図１４】第７の実施形態の浸水防止構造であって、（Ａ）は防水板を収納溝に収納した状態（Ｂ）は防水板を起立した状態を示す断面図。
【図１５】第７の実施形態の浸水防止構造の変形例であって、（Ａ）は防水板を収納溝に収納した状態（Ｂ）は防水板が回転して起立した状態を示す断面図。
【発明を実施するための形態】
【００２７】
〔第１の実施形態〕
以下、本発明の第１の実施形態の浸水防止構造１について図１から図３を参照しつつ説明する。浸水防止構造１は、例えば地下街などの地下構造物への出入り口、公共道路から敷地に入る出入り口、又は海岸・河岸・湖岸などのように外部Ｘから所定領域Ｙ内に水Ｗが侵入することを防ぐ必要があるあらゆる場所に設置可能なものであって、上端が地面ＧＬに向かって開口する収納溝２と、外部Ｘ側に設けられる流入防止スロープ３と、略鉛直に起立した状態から略水平に倒伏した状態まで回動可能に設置された防水板４と、この防水板４が起立した状態から所定領域Ｙ側に倒れこむことを防ぐ規制体５と、を備えている。
【００２８】
収納溝２は防水板４が収納できる形状に掘り下げられて形成されており、その底部分に開閉可能な排水弁６を備えた排水口７が設けられている。この収納溝２は所定領域Ｙ側が深くなった貯水部２ａを形成しており、外部Ｘ側が水Ｗを貯水部２ａに導けるように下り勾配となった導水部２ｂを形成している。この収納溝２は例えばこの収納溝２の形状の型枠で打設養生されたプレキャストコンクリートをその上端が地面ＧＬよりも５ｃｍ程度高くなるように埋設して形成している。なお、収納溝２の材料及び工法はこれに限定されるものではなく、種々の材料及び工法を用いることができる。
【００２９】
流入防止スロープ３は、例えば防錆処理された鉄などの金属により形成されており、外部Ｘから所定領域Ｙ側に向かって緩やかな上り勾配に形成されている。図２に良く示すように、流入防止スロープ３の所定領域Ｙ側の端部は、収納溝２の導水部２ｂの上方に突き出しており、この部分に収納溝２内に水Ｗを流入させる受入孔８が形成されている。この受入孔８は地面ＧＬからの高さαが５ｃｍ程度なっている。したがって、外部Ｘ側の水Ｗが地面ＧＬから５ｃｍ未満の場合は、流入防止スロープ３に阻まれて水Ｗが収納溝２内に流入することがなく、外部Ｘ側の水Ｗが地面ＧＬから５ｃｍ以上となると、水面の高さが受入孔８を越えるので、受入孔８から水Ｗが収納溝２内に流入し、収納溝２の導水部２ｂを流下して貯水部２ａに水Ｗが貯水されることになる。
【００３０】
防水板４は、起立状態のときに下側になる部分が外部Ｘ側に膨らんで膨出部４ａを形成しており、上側となる部分は水Ｗの流入を阻止する板状部４ｂを形成している。この防水板４は例えばステンレス等の金属で形成されており、膨出部４ａの内部には発泡スチロールなどの比重の軽い樹脂の浮力体４ｃが内蔵されている。またこの防水板４は所定領域Ｙ側の収納溝２の上端に軸４ｎによって回動自在に固定されており、収納溝２の貯水部２ａに水Ｗが貯水されていないときには膨出部４ａの重さで外部Ｘ側に回転して倒れ、貯水部２ａに水Ｗが貯水され水位が上昇すると、膨出部４ａに加わる浮力によって次第に回動し起立する。
【００３１】
規制体５は、防水板４が起立したときに防水板４に当接するように、防水板４の両側端の所定領域Ｙ側に立設されており、防水板４が略鉛直に起立すると、この規制体５に当接してそれ以上防水板４が所定領域Ｙ側に倒れることを規制する。なお、図示しないがこの規制体５の防水板４と当接する面にはゴムなどの弾性体が貼り付けられて、規制体５と防水板４との間の水密性を向上させてもよい。
【００３２】
以上のように、本実施形態の浸水防止構造１は、流入防止スロープ３により地面ＧＬから５ｃｍ以下の水Ｗが収納溝２に流入することを阻止するので、防水板４が不必要に起立して浸水防止構造１が設置された出入口などの通行を阻害することがない。また、浮力の力によって自動的に防水板４を起立させることで、故障のおそれも少なく、必要なときに確実に防水板４を起立させることができる。また、起立した状態の防水板４の高さに比べて収納溝２の深さを深くする必要がないので、安全に低コストで設置することができ、地中構造物などとも干渉するおそれを減らすことができる。
【００３３】
〔第２の実施形態〕
次に、本発明の第２の実施形態の浸水防止構造１について図４及び図５を参照しつつ説明する。なお、第１の実施形態と同様の構成については同一の符号を付して説明を省略する。この実施形態の浸水防止構造１は、上端が地面ＧＬに向かって開口する収納溝２と、外部Ｘ側に設けられる流入防止スロープ３と、中間部に屈曲部４ｋを備えており略水平に倒伏した状態から略鉛直に起立した状態まで回動可能に設置された防水板４と、この防水板４をガイドするガイド溝９が設けられており、防水板４が起立した状態から所定領域Ｙ側に倒れこむことを防ぐ規制体５と、を備えている。
【００３４】
防水板４は、膨出部４ａ及び板状部４ｂを備えており、この板状部４ｂが上部板体４ｄと下部板体４ｅとこれら上下の板体を連結する屈曲部４ｋとにより形成されている。屈曲部４ｋは例えば蝶番４ｆにより上部板体４ｄと下部板体４ｅとを互いに回転自在に構成しており、上部板体４ｄと下部板体４ｅとが折り重なった状態から展開した状態まで回転することができる。この防水板４は所定領域Ｙ側の収納溝２の上端に軸４ｎにより回動自在に固定されており、収納溝２の貯水部２ａに水Ｗが貯水されていないときには膨出部４ａの重さで外部Ｘ側に倒れ、貯水部２ａに水Ｗが貯水されると、膨出部４ａに加わる浮力によって回動し起立するように構成されている。
【００３５】
そして、鉛直方向に立設する規制体５にはその長手方向に沿ってガイド溝９が設けられており、防水板４の上部板体４ｄの上側端に形成された突起がこのガイド溝９にスライド可能に係止されている。図４（Ａ）及び図５（Ａ）に示すように、収納溝２の貯水部２ａに水Ｗがないときに収納溝２に収納された状態で倒伏している防水板４は、流入防止スロープ３に形成された受入孔８から水Ｗが流入して、収納溝２の貯水部２ａに水Ｗが貯留されると、膨出部４ａに浮力が加わる。そして、膨出部４ａの浮力により防水板４が収納溝２の上端の軸４ｎにより起立方向に回転する。このとき防水板４の上部板体４ｄの上側端に形成された突起がガイド溝９にスライド可能に係止されているので、図４（Ｂ）及び図５（Ｂ）にあるように、屈曲部４ｋを展開方向に回転させながら、ガイド溝９を突起がスライドして、図４（Ｃ）及び図５（Ｃ）に示すように、防水板４が起立状態となる。
【００３６】
このように、防水板４は収納溝２に折り重ねられた状態で収納されるので、浸水防止構造１の近傍に他の構造物があるなどの理由で、収納溝２を設置するスペースが少ない場合にも充分な高さの防水板４を備えた浸水防止構造１とすることができる。
【００３７】
〔第３の実施形態〕
次に、本発明の第３の実施形態の浸水防止構造１について図６を参照しつつ説明する。なお、第１の実施形態及び第２の実施形態と同様の構成については同一の符号を付して説明を省略する。この実施形態の浸水防止構造１は、上端が地面ＧＬに向かって開口する収納溝２と、外部Ｘ側に設けられる流入防止スロープ３と、中間部に屈曲部４ｋを備えており所定領域Ｙ側に例えば３０度程度傾いた状態から外部Ｘ側に略水平に倒伏した状態まで回動可能に設置された防水板４と、防水板４が鉛直に立ち上がった状態から所定領域Ｙ側に３０度以上倒れこむことを防ぐ規制体５と、を備えている。
【００３８】
防水板４は、第２の実施形態と同様に、膨出部４ａ及び板状部４ｂを備えている。そして、膨出部４ａは、防水板４が起立した状態から所定領域Ｙ側に３０度以上倒れたときにも、この膨出部４ａの一部が収納溝２内に止まり、収納溝２内に貯留された水Ｗから浮力を受けることができるような形状に形成されている。また、この板状部４ｂは、上部板体４ｄと下部板体４ｅとこれら上下の板体を連結する屈曲部４ｋとにより形成されている。そして、屈曲部４ｋは例えば蝶番４ｆにより上部板体４ｄと下部板体４ｅとを互いに回転自在に構成しており、上部板体４ｄと下部板体４ｅとが折り重なった状態から展開した状態まで回転することができる。図６（Ｂ）に示すように、本実施形態においては、この屈曲部４ｋに、さらに展開方向に付勢する付勢手段４ｇが設けられている。この付勢手段４ｇは例えばその端部が下部板体４ｅと上部板体４ｄとにそれぞれ回転可能に固定された空圧シリンダにより構成されており、上部板体４ｄと下部板体４ｅとが折り重なった状態のときにシリンダ内の空気が圧縮されて展開方向に付勢する構成を採用することができる。なお、付勢手段４ｇは空圧シリンダに限定されるものではなく、油圧シリンダや他の弾性材料を用いて付勢するものであっても良い。
【００３９】
図６（Ａ）に示すように、収納溝２の貯水部２ａに水Ｗがないときには、防水板４は収納溝２に収納された状態で倒伏している。このとき、板状部４ｂの上部板体４ｄと下部板体４ｅとは、防水板４の自重により、付勢手段４ｇの展開方向への荷重に抗して、互いに折り重なった状態を保持している。そして、流入防止スロープ３に形成された受入孔８から水Ｗが流入して、収納溝２の貯水部２ａに水Ｗが貯留されると、膨出部４ａに浮力が加わる。そして、膨出部４ａの浮力により防水板４が収納溝２の上端の軸４ｎにより起立方向に回転する。このとき、図６（Ｂ）に示すように、防水板４は、その上部板体４ｄが付勢手段４ｇにより下部板体４ｅから離反する展開方向に回転し、図６（Ｃ）に示すように、上下の板体が面一になった状態で、所定領域Ｙ側に略３０度傾いて形成された規制体５に当接して、略３０度傾いた起立状態となる。
【００４０】
このように、防水板４は収納溝２に折り重ねられた状態で収納されるので、浸水防止構造１の近傍に他の構造物があるなどの理由で、収納溝２を設置するスペースが少ない場合にも充分な高さの防水板４を備えた浸水防止構造１とすることができる。そして、収納溝２に水Ｗが貯留され浮力が加わって、防水板４が起き上がるときに付勢手段４ｇにより自動的に屈曲部４ｋが展開して防水板４の高さをかさ上げするので、緊急時に確実に必要な高さの防水板４を起立させることができる。また、防水板４は所定領域Ｙ側に３０度傾いた状態で起立するので、外部Ｘから所定領域Ｙに向かって勢いのある水流が流れ込もうとしたときに、防水板４に水流が衝突して加わる荷重を防水板４の傾きにより上方に逃がすことができる。
【００４１】
なお、本実施形態においては、防水板４が所定領域Ｙ側に傾く角度を略３０度としたが、これに限定されるものではなく、想定される水流の勢いなどの要素を考慮して適宜選択することができる。
【００４２】
〔第４の実施形態〕
次に、本発明の第４の実施形態の浸水防止構造１について図７を参照しつつ説明する。なお、第１の実施形態から第３の実施形態と同様の構成については同一の符号を付して説明を省略する。この実施形態の浸水防止構造１は、上端が地面ＧＬに向かって開口する収納溝２と、外部Ｘ側に設けられる流入防止スロープ３と、中間部に屈曲部４ｋを備えており所定領域Ｙ側に例えば３０度程度傾いた状態から外部Ｘ側に略水平に倒伏した状態まで回動可能に設置された防水板４と、防水板４が鉛直に立ち上がった状態から所定領域Ｙ側に３０度以上倒れこむことを防ぐ規制体５と、防水板４が略鉛直となる方向に付勢する付勢部材１０とを備えている。なお、付勢部材１０以外の構成については第３の実施形態と同様であるので説明を省略する。
【００４３】
付勢部材１０は、図示しないが内部に流体が閉じ込められたシリンダとこのシリンダに挿入されるプランジャにより構成されており、プランジャがシリンダの抜出方向及び挿入方向にスライドすることによりシリンダ内部の体積を増減させ、内部の流体を膨張又は圧縮しつつ伸縮可能に構成されている。なお、付勢部材１０はプランジャ及びシリンダに換えてゴム、バネなどの弾性部材を用いてもよい。
【００４４】
図７（Ａ）に示すように、収納溝２の貯水部２ａに水Ｗがないときには、防水板４は収納溝２に収納された状態で倒伏している。このとき、付勢部材１０は伸長された状態となっており、シリンダ内部の体積が増えて流体が膨張し、縮退方向に付勢するが、防止板はその自重により、付勢部材１０の荷重に抗して収納溝２に収納された状態を維持している。そして、流入防止スロープ３に形成された受入孔８から水Ｗが流入して、収納溝２の貯水部２ａに水Ｗが貯留されると、防水板４の膨出部４ａに浮力が加わる。
【００４５】
そして、この膨出部４ａに加わる浮力と、付勢部材１０が縮退しようとする荷重と、により、防水板４が収納溝２の上端の軸４ｎにより起立方向に回転し、図２（Ｂ）に示すように、略鉛直に立ち上がった状態に保持される。この防水板４の立ち上がりに従って、付勢部材１０は縮退し、防水板４が略鉛直の状態となったときに、内部の流体の圧力が外気圧とほぼ釣り合うように構成されている。これにより、防水板４に外部Ｘ側からの水圧がかかっていないときには、防水板４は略鉛直に立ち上がった状態を維持する。その後、外部Ｘ側からさらに水圧が加わった時には、防水板４は、図７（Ｃ）に示すように、所定領域Ｙ側に傾いて、付勢部材１０がさらに縮退し、付勢部材１０内部の流体が圧縮される。
【００４６】
このように、防水板４が起立したときに、付勢部材１０がこの防水板４を略鉛直となる方向に付勢するので、外部Ｘ側から所定領域Ｙに向かって勢いのある水流が流れ込もうとしたときには、防水板４にかかる水流の圧力により付勢部材１０の付勢力に抗して防水板４が所定領域Ｙ側に傾くので、水流の勢いを弱めることができ、また、防水板４が所定領域Ｙ側に傾くことにより、この水流の圧力を上方に逃がすことができる。一方、付勢部材１０の付勢力よりも弱い水流や水圧の場合は、防水板４は略鉛直な状態のままであり、防水板４の高さが高い状態を維持することができる。
【００４７】
〔第５の実施形態〕
次に、本発明の第５の実施形態の浸水防止構造１について図８から図１１を参照しつつ説明する。なお、上述の各実施形態と同様の構成については同一の符号を付して説明を省略する。この実施形態に係る浸水防止構造１は、図８に示すように、上端が地面ＧＬに向かって開口する収納溝２と、外部Ｘ側に設けられる流入防止スロープ３と、収納溝２内に収納される浮力体４ｃを有し、収納溝２内に水Ｗが注入されると、上方にスライドして起立する防水板４と、を備えている。
【００４８】
収納溝２はこの実施形態の防水板４を収納するために鉛直方向に掘り下げられており、その底部分に開閉可能な排水弁６を備えた排水口７が設けられている。防水板４は、図９に示すように、下側が収納溝２内で上下方向にスライド可能に形成されており、上側が上下方向の中間位置で上部板体４ｄと下部板体４ｅとに折り曲げ可能な屈曲部４ｋを備えた板状に形成されている。防水板４は、ステンレスの平板の一方の面にリブ４ｈが格子状に形成された形状であって、リブ４ｈ同士の間には発泡スチロール製の浮力体４ｃが嵌着されている。屈曲部４ｋは蝶番４ｆにより上部板体４ｄと下部板体４ｅとを折り重なった状態から面一に展開された状態まで回転させることができるものであって、たとえば空圧シリンダにより形成された付勢手段４ｇによって展開方向に付勢されている。
【００４９】
防水板４の両側端には、段差４ｉが形成されている。この段差４ｉは、図１０に示すように、複数の防水板４を隣り合うように並べた際に互いに噛み合う形状である。したがって、浸水防止構造１を設置する必要がある地下構造物への出入り口、公共道路から敷地に入る出入り口などの幅が広い場合のように、複数の防水板４を隣り合うように並べた浸水防止構造１を設置する必要がある場合に、防水板４の両側端が噛み合うことで、水Ｗの侵入をより確実に防ぐことができる。なお、防水板４の両側端の形状は段差４ｉを設けたものに限定されず、例えば図１１に示すように互いに噛み合い可能な凹凸４ｊを設けたものであってもよい。凹凸４ｊのほうが段差４ｉよりも接合箇所の防水性能をより高めることができる。
【００５０】
図８（Ａ）に示すように、収納溝２に水Ｗがないときには、防水板４は収納溝２内に収納されている。このとき、防水板４の屈曲部４ｋは付勢手段４ｇにより上部板体４ｄと下部板体４ｅとが互いに展開する方向に付勢されているが、防水板４は鉛直方向に掘り下げられた収納溝２内に収納されているため上部板体４ｄ及び下部板体４ｅが互いに広がることなく折り重ねられた状態を保持されている。
【００５１】
そして、流入防止スロープ３に形成された受入孔８から水Ｗが流入して、収納溝２に水Ｗが貯留されると、防水板４に浮力が加わり、図８（Ｂ）に示すように、防水板４が収納溝２から上方にスライドして起立する。防水板４が上方にスライドして起立すると、防水板４の上部板体４ｄが付勢手段４ｇにより下部板体４ｅから離反する展開方向に回転し、図８（Ｃ）に示すように、上下の板体が面一になった状態で、鉛直方向に起立する。
【００５２】
以上のように本実施形態の浸水防止構造１によると、防水板４は、収納溝２内に収納される浮力体４ｃを有し、この収納溝２内に水Ｗが注入されて浮力体４ｃに浮力が加わると上方にスライドして起立し外部Ｘから所定領域Ｙ内への水Ｗの流入を阻止するので、人による操作や電気的な制御を必要とせず、簡単で故障しにくい構成にすることができる。また、防水板４は、上下方向の中間部に折り曲げ可能な屈曲部４ｋを備えており、収納溝２に折り重ねられた状態で収納されるので、収納溝２に収納する際の防水板４の高さを低くすることができ、収納溝２の深さが比較的深くならず、設置コストを低減することができ、地中に構造物があるような場合も干渉することなく設置することができる。
【００５３】
〔第６の実施形態〕
次に、本発明の第６の実施形態の浸水防止構造１について図１２を参照しつつ説明する。なお、上述の各実施形態と同様の構成については同一の符号を付して説明を省略する。この実施形態に係る浸水防止構造１は、図１２に示すように、上端が地面ＧＬに向かって開口する収納溝２と、外部Ｘ側に設けられる流入防止スロープ３と、収納溝２内に収納される浮力体４ｃを有し、収納溝２内に水Ｗが注入されると、上方にスライドして起立する防水板４と、を備えている。
【００５４】
収納溝２はこの実施形態の防水板４を収納するために下方が外部Ｘ側に傾くように傾斜して掘り下げられている。このように構成すると、図１２（Ａ）に示すように、収納溝２に水Ｗがないときには、防水板４は収納溝２内に上部板体４ｄ及び下部板体４ｅが互いに折り重ねられた状態で収納されている。そして、流入防止スロープ３に形成された受入孔８から水Ｗが流入して、収納溝２に水Ｗが貯留されると、防水板４に浮力が加わり、図１２（Ｂ）に示すように、防水板４が収納溝２から所定領域Ｙ側に傾いて斜め上方にスライドして起立する。そして、防水板４が起立すると、防水板４の上部板体４ｄが付勢手段４ｇにより下部板体４ｅから離反する展開方向に回転し、図１２（Ｃ）に示すように、上下の板体が面一になった状態で、所定領域Ｙ側に傾いた状態で維持される。
【００５５】
このように、本実施形態の浸水防止構造１によると、防水板４が起立したときに、所定領域Ｙ側に傾くので、外部Ｘから所定領域Ｙに向かって勢いのある水流が流れ込もうとしたときに、防水板４に水流が衝突して加わる荷重を防水板４の傾きにより上方に逃がすことができる。
【００５６】
なお、本実施形態においては、収納溝２が下方が外部Ｘ側に傾くように傾斜して掘り下げられているが、収納溝２の形状はこれに限定されるものではなく、例えば、図１３に示すように、鉛直方向に掘り下げられるとともに、上端付近に防水板４を傾けることができる傾斜空間２ｃを有する形状としてもよい。このように構成すると、図１３（Ａ）に示すように、収納溝２に水Ｗがないときには、防水板４は収納溝２内に上部板体４ｄ及び下部板体４ｅが互いに折り重ねられた状態で収納されており、流入防止スロープ３に形成された受入孔８から水Ｗが流入して、収納溝２に水Ｗが貯留されると、防水板４に浮力が加わり、図１３（Ｂ）に示すように、防水板４が収納溝２から鉛直方向にスライドして立ち上がる。そして、防水板４が起立すると、防水板４の上部板体４ｄが付勢手段４ｇにより下部板体４ｅから離反する展開方向に回転する。そして、防水板４に外部Ｘ側から水圧が加わったときに、図１３（Ｃ）に示すように、防水板４が上下の板体が面一になった状態で、所定領域Ｙ側に傾く。このように構成された場合でも、外部Ｘから所定領域Ｙに向かって勢いのある水流が流れ込もうとしたときに、防水板４に水流が衝突して加わる荷重を防水板４の傾きにより上方に逃がすことができる。
【００５７】
〔第７の実施形態〕
次に、本発明の第７の実施形態の浸水防止構造１について図１４を参照しつつ説明する。なお、上述の各実施形態と同様の構成については同一の符号を付して説明を省略する。この実施形態に係る浸水防止構造１は、図１４に示すように、上端が地面ＧＬに向かって開口する収納溝２と、外部Ｘ側に設けられる流入防止スロープ３と、収納溝２内に収納される浮力体４ｃを有し、収納溝２内に水Ｗが注入されると、上方にスライドして起立する防水板４と、防水板４の所定領域Ｙ側に設置される堤防１１と、その底面が地面ＧＬと同じ高さとなるように設置された水Ｗを貯留する貯留槽１２と、一端がこの貯留槽１２の底面に設けられた流出口１３に連通するとともに、他端が収納溝２に設けられた注入口１４に連通する流入路１５と、この流入路１５上に開閉可能に設けられる規制弁１６とを備えている。
【００５８】
収納溝２は、防水板４を収納するために下方が外部Ｘ側に傾くように傾斜して掘り下げられている。堤防１１は、その外部Ｘ側の面が収納溝２の所定領域Ｙ側の面と面一になるように、傾斜して形成されており、防水板４が収納溝２に沿って斜め上方にスライドした時に、この防水板４が堤防１１の外部Ｘ側の面と当接するように形成されている。貯留槽１２は、少なくとも収納溝２の容積とほぼ等しい容積以上の水Ｗを、貯留できる大きさであって、常時水Ｗが貯留されるように管理されている。この貯留槽１２には、図示しないが、例えばフロート弁機構が設けられており、所定以下の貯留水量となった場合に水道から水Ｗを流入できる構成となっている。また、図示しないが、この貯留槽１２は少なくとも、規制弁１６を開放した場合に貯留槽１２内の水Ｗが流入路１５を通って収納溝２に流入できるように、上部に空気孔が設けられている。
【００５９】
流入路１５は、例えば塩化ビニルなどの樹脂又は金属で形成された管であって、貯留槽１２内の水Ｗを収納溝２にたとえば１分間などの所定時間以内に流入させることができる径を有している。規制弁１６は、手動又は電気制御で流入路１５を開放及び閉鎖可能な弁である。
【００６０】
例えば津波の場合のように、流入防止スロープ３に形成された受入孔８からの水Ｗの流入を待つことなく、防水板４を立ち上げる必要がある場合に、規制弁１６を例えば電気制御で開放すると、貯留槽１２内に貯留されていた水Ｗが流入路１５を通って、収納溝２内に流入する。収納溝２内に水Ｗが流入すると、防水板４に浮力が加わり、防水板４が収納溝２から所定領域Ｙ側に傾いて斜め上方にスライドして起立する。そして、防水板４が起立すると、防水板４の上部板体４ｄが付勢手段４ｇにより下部板体４ｅから離反する展開方向に回転し、図１４（Ｂ）に示すように、上下の板体が面一になった状態で、所定領域Ｙ側に傾いた状態で維持される。
【００６１】
このように、本実施形態の浸水防止構造１によると、必要に応じて、外部Ｘからの水Ｗの流入を待つことなく防水板４を立ち上げることができるので、防水板４を即座に立ち上げる必要がある場合に好適である。また、そこまでの緊急性を要しない場合には、外部Ｘからの水Ｗの流入により、防水板４を立ち上げることができるので、より確実に浸水を防止することができる。また、防水板４の所定領域Ｙ側に堤防１１が設置されることで、防水板４のみで浸水を防止する場合に比べてより強度を増すことができる。
【００６２】
なお、本実施形態においては、上方にスライドして起立する防水板４を用いた浸水防止構造１に、堤防１１、貯留槽１２、及び流入路１５を備える構成としたが、例えば図１５に示すように、略水平に倒伏した状態から所定領域側に傾いた状態まで回動可能に設置された防水板４を用いた浸水防止構造１が、堤防１１、貯留槽１２、及び流入路１５を備える構成としてもよい。堤防１１は防水板４が所定領域Ｙ側に所定の角度以上傾くことを規制できるように、外部Ｘ側の面が傾斜して形成されており、前述の規制体５の役割を兼ねることができる。また貯留槽１２は流入路１５に設けられた規制弁１６を開放したときに、貯留槽１２内の水が収納溝に流れ込むことができる高さがあれば地中に埋設されていてもよい。なお、図示しないが、貯留槽１２、及び流入路１５を設けずに、堤防１１のみを設けてもよい。堤防１１を有することで防水板４を補強することができる。
【００６３】
なお、本発明の実施の形態は上述の各形態に限ることなく、本発明の思想の範囲を逸脱しない範囲で適宜変更することができることは云うまでもない。
【産業上の利用可能性】
【００６４】
本発明に係る浸水防止構造１は、外部Ｘから所定領域Ｙ内に水Ｗが浸水することを防止する浸水防止構造１として好適に用いることができる。
【符号の説明】
【００６５】
１      浸水防止構造
２      収納溝
３      流入防止スロープ（流入防止部）
４      防水板
４ｃ    浮力体
４ｇ    付勢手段
４ｉ    段差
４ｊ    凹凸
４ｋ    屈曲部
５      規制体
８      受入孔
１０    付勢部材
１１    堤防
１２    貯留槽
１３    流出口
１４    注入口
１５    流入路
１６    規制弁
【図１】
2013119746.tif 000003
【図２】
2013119746.tif 000004
【図３】
2013119746.tif 000005
【図４】
2013119746.tif 000006
【図５】
2013119746.tif 000007
【図６】
2013119746.tif 000008
【図７】
2013119746.tif 000009
【図８】
2013119746.tif 000010
【図９】
2013119746.tif 000011
【図１０】
2013119746.tif 000012
【図１１】
2013119746.tif 000013
【図１２】
2013119746.tif 000014
【図１３】
2013119746.tif 000015
【図１４】
2013119746.tif 000016
【図１５】
2013119746.tif 000017
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
上端が地面に向かって開口する収納溝と、
地面から所定高さ以下の水が前記収納溝に流入することを阻止する流入防止部と、
当該流入防止部の少なくとも地面よりも高い位置に形成され、前記収納溝内に水を流入させる受入孔と、
前記収納溝内に収納される浮力体を有し、起立したときに下端となる側が前記収納溝の上方に回動可能に固定されており、前記収納溝内に水が注入されて前記浮力体に浮力が加わると回動して起立し外部から所定領域内への水の流入を阻止する防水板と、
該防水板の所定角度以上の回動を規制する規制体と、
を備え、
前記防水板は、上下方向の中間部に折り曲げ可能な屈曲部を備えており、前記収納溝に折り重ねられた状態で収納され、
前記屈曲部は、折り曲げた前記防水板を展開方向へ付勢する付勢手段を備えることを特徴とする浸水防止構造。
【請求項２】
上端が地面に向かって開口する収納溝と、
地面から所定高さ以下の水が前記収納溝に流入することを阻止する流入防止部と、
当該流入防止部の少なくとも地面よりも高い位置に形成され、前記収納溝内に水を流入させる受入孔と、
前記収納溝内に収納される浮力体を有し、前記収納溝内に水が注入されて前記浮力体に浮力が加わると上方にスライドして起立し外部から所定領域内への水の流入を阻止する防水板と、
を備え、
該防水板は、上下方向の中間部に折り曲げ可能な屈曲部を備えており、前記収納溝に折り重ねられた状態で収納され、
前記屈曲部は、折り曲げた前記防水板を展開方向へ付勢する付勢手段を備えることを特徴とする浸水防止構造。
【請求項３】
前記防水板は起立した状態のときに、当該防水板が前記所定領域側に傾いて形成されることを特徴とする請求項１又は請求項２に記載の浸水防止構造。
【請求項４】
前記防水板は、起立した状態のときに、当該防水板が略鉛直な状態から前記所定領域側に所定角度傾いた状態まで揺動可能に形成されており、
当該防水板が略鉛直となる方向に付勢する付勢部材をさらに備えることを特徴とする請求項１又は請求項２に記載の浸水防止構造。
【請求項５】
前記防水板の前記所定領域側に堤防が形成されることを特徴とする請求項３又は請求項４に記載の浸水防止構造。
【請求項６】
前記防水板を複数備える浸水防止構造であって、
当該防水板はその側端部に互いに噛み合う凹凸又は段差が形成されることを特徴とする請求項１から請求項５のいずれかに記載の浸水防止構造。
【請求項７】
少なくとも前記収納溝の底面よりも高い位置に底面が形成され、水を貯留する貯留槽と、
一端が該貯留槽の底面に設けられた流出口に連通するとともに、他端が前記収納溝に設けられた注入口に連通する流入路と、
当該流入路上に開閉可能に設けられる規制弁と、
を備えることを特徴とする請求項１から請求項６のいずれかに記載の浸水防止構造。
【手続補正２】
【補正対象書類名】明細書
【補正対象項目名】０００８
【補正方法】変更
【補正の内容】
【０００８】
請求項１に記載の浸水防止構造は、上端が地面に向かって開口する収納溝と、地面から所定高さ以下の水が前記収納溝に流入することを阻止する流入防止部と、当該流入防止部の少なくとも地面よりも高い位置に形成され、前記収納溝内に水を流入させる受入孔と、前記収納溝内に収納される浮力体を有し、起立したときに下端となる側が前記収納溝の上方に回動可能に固定されており、前記収納溝内に水が注入されて前記浮力体に浮力が加わると回動して起立し外部から所定領域内への水の流入を阻止する防水板と、該防水板の所定角度以上の回動を規制する規制体と、を備え、前記防水板は、上下方向の中間部に折り曲げ可能な屈曲部を備えており、前記収納溝に折り重ねられた状態で収納され、前記屈曲部は、折り曲げた前記防水板を展開方向へ付勢する付勢手段を備えることを特徴としている。
【手続補正３】
【補正対象書類名】明細書
【補正対象項目名】０００９
【補正方法】変更
【補正の内容】
【０００９】
請求項２に記載の浸水防止構造は、上端が地面に向かって開口する収納溝と、地面から所定高さ以下の水が前記収納溝に流入することを阻止する流入防止部と、当該流入防止部の少なくとも地面よりも高い位置に形成され、前記収納溝内に水を流入させる受入孔と、前記収納溝内に収納される浮力体を有し、前記収納溝内に水が注入されて前記浮力体に浮力が加わると上方にスライドして起立し外部から所定領域内への水の流入を阻止する防水板と、を備え、該防水板は、上下方向の中間部に折り曲げ可能な屈曲部を備えており、前記収納溝に折り重ねられた状態で収納され、前記屈曲部は、折り曲げた前記防水板を展開方向へ付勢する付勢手段を備えることを特徴としている。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３に記載の浸水防止構造は、請求項１又は請求項２の構成に加えて、前記防水板は起立した状態のときに、当該防水板が所定領域側に傾いて形成されることを特徴としている。
【手続補正７】
【補正対象書類名】明細書
【補正対象項目名】００１３
【補正方法】変更
【補正の内容】
【００１３】
請求項４に記載の浸水防止構造は、請求項１又は請求項２の構成に加えて、前記防水板は、起立した状態のときに、当該防水板が略鉛直な状態から所定領域側に所定角度傾いた状態まで揺動可能に形成されており、当該防水板が略鉛直となる方向に付勢する付勢部材をさらに備えることを特徴としている。
【手続補正８】
【補正対象書類名】明細書
【補正対象項目名】００１４
【補正方法】変更
【補正の内容】
【００１４】
請求項５に記載の浸水防止構造は、請求項３又は請求項４の構成に加えて、前記防水板の所定領域側に堤防が形成されることを特徴としている。
【手続補正９】
【補正対象書類名】明細書
【補正対象項目名】００１５
【補正方法】変更
【補正の内容】
【００１５】
請求項６に記載の浸水防止構造は、請求項１から請求項５のいずれかの構成に加えて、前記防水板を複数備える浸水防止構造であって、当該防水板はその側端部に互いに噛み合う凹凸又は段差が形成されることを特徴としている。
【手続補正１０】
【補正対象書類名】明細書
【補正対象項目名】００１６
【補正方法】変更
【補正の内容】
【００１６】
請求項７に記載の浸水防止構造は、請求項１から請求項６のいずれかの構成に加えて、少なくとも前記収納溝の底面よりも高い位置に底面が形成され、水を貯留する貯留槽と、一端が該貯留槽の底面に設けられた流出口に連通するとともに、他端が前記収納溝に設けられた注入口に連通する流入路と、当該流入路の水の通過を規制する規制弁と、を備えることを特徴としている。
【手続補正１１】
【補正対象書類名】明細書
【補正対象項目名】００１７
【補正方法】変更
【補正の内容】
【００１７】
請求項１に記載の浸水防止構造は、流入防止部により地面から所定高さ以下の水が収納溝に流入することを阻止するので、防水板を起立させる必要がない比較的弱い雨のときには、収納溝に水が流入することがなく、防水板が不必要に起立することを抑制できる。また、防水板は、収納溝内に収納される浮力体を有し、その下端が収納溝の上端に回動可能に固定されており、収納溝内に水が注入されて浮力体に浮力が加わると回動して起立し、外部から所定領域内への水の流入を阻止するものであるので、人による操作や電気的な制御を必要とせず、簡単で故障しにくい構成にすることができる。また、防水板は、地面に向かって伏せた状態で収納溝に収納されることとなるので、収納溝の深さが比較的深くならないので、設置コストを低減することができ、地中に構造物があるような場合も干渉することなく設置することができる。
また、この浸水防止構造は、防水板を回動させて起立させる浸水防止構造であって、防水板が上下方向の中間部に折り曲げ可能な屈曲部を備えており、収納溝に折り重ねられた状態で収納されるので、浸水防止構造の近傍に他の構造物があるなどの理由で、収納溝を設置するスペースが少ない場合にも設置することができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
また、請求項１及び請求項２に記載の浸水防止構造は、防水板を展開方向へ付勢する付勢手段を備えているので、防水板が起立したときに屈曲部が展開して、自動的に防水板の高さをかさ上げすることができる。
【手続補正１４】
【補正対象書類名】明細書
【補正対象項目名】００２１
【補正方法】変更
【補正の内容】
【００２１】
請求項３に記載の浸水防止構造は、防水板が起立したときに、所定領域側に傾くので、外部から所定領域に向かって勢いのある水流が流れ込もうとしたときに、防水板に水流が衝突して加わる荷重を防水板の傾きにより上方に逃がすことができる。
【手続補正１５】
【補正対象書類名】明細書
【補正対象項目名】００２２
【補正方法】変更
【補正の内容】
【００２２】
請求項４に記載の浸水防止構造は、防水板が起立したときに、この防水板が略鉛直な状態から所定領域側に所定角度傾いた状態まで揺動可能に形成されており、この防水板が略鉛直となる方向に付勢する付勢部材をさらに備えるので、外部から所定領域に向かって勢いのある水流が流れ込もうとしたときには、防水板にかかる水流の圧力が付勢部材の付勢力に抗して防水板を所定領域側に傾けるので、水流の勢いを弱めることができ、さらに防水板が所定領域側に傾くことにより、この水流の圧力を上方に逃がすことができる。一方、付勢部材の付勢力よりも弱い水流や水圧の場合は、防水板は略鉛直な状態のままであり、防水板の高さが高い状態を維持することができる。
【手続補正１６】
【補正対象書類名】明細書
【補正対象項目名】００２３
【補正方法】変更
【補正の内容】
【００２３】
請求項５に記載の浸水防止構造は、防水板の所定領域側に堤防が形成されるので、例えば海岸や河岸などの堤防の海又は川側に起立したときの高さが堤防よりも高い浸水防止構造を設置することで、日常は景観を壊すことがなく、水量が増した緊急時にのみ防潮板の役割を果たすことができ、また、堤防の支えにより、極めて強固な浸水防止構造とすることができる。
【手続補正１７】
【補正対象書類名】明細書
【補正対象項目名】００２４
【補正方法】変更
【補正の内容】
【００２４】
請求項６に記載の浸水防止構造は、防水板の側端部に互いに噛み合う凹凸又は段差が形成されるので、複数の防水板を方向に並べたときに防水板同士の間に間隙が生じることがなく、水の侵入を確実に防ぐことができる。
【手続補正１８】
【補正対象書類名】明細書
【補正対象項目名】００２５
【補正方法】変更
【補正の内容】
【００２５】
請求項７に記載の浸水防止構造は、収納溝の底面よりも高い位置に底面が形成され水を貯留する貯留槽が設けられており、この貯留槽から収納溝までを連通する流入路が設けられている。そして流入路には開閉可能な規制弁が備わっているので、予め貯留槽に水を貯留しておいて、水が侵入するおそれがある緊急時にこの規制弁を開放することで、例えば津波のように外部に水が少ないが、数分以内に防水板を起立させる必要がある場合にも、収納溝内に一気に水を流入させることができ、防水板を迅速に起立させることができる。